(57)【特許請求の範囲】
【請求項１】
軸周りに回転自在な回転アームと、この回転アームの中心部にその軸方向である第２方向に移動自在に挿通されたシャフトと、このシャフトを前記第２方向に移動させる第２モータと、前記回転アームの前記軸から離れた位置に装着されたピックアップヘッドと、このピックアップヘッドに装着されて部品をピックアップするピックアップツールと、前記回転アームを前記軸を中心に回転させることにより前記ピックアップヘッドを上下に反転させて前記ピックアップツールを上向きもしくは下向きに変更するピックアップヘッド反転手段と、前記第２モータの駆動による前記シャフトの前記移動に伴って前記ピックアップツールをその回転軸周りに回転させるピックアップツール回転手段とを有することを特徴とする部品ピックアップ装置。
【請求項２】
前記ピックアップツール回転手段は、前記ピックアップツールに装着されて側方に突出し、その先端部が前記シャフトの先端部に設けられたピンと係合し、前記第２モータの駆動による前記シャフトの前記移動に伴って前記ピックアップツールをその回転軸周りに回転させる回転レバーから成ることを特徴とする請求項１に記載の部品ピックアップ装置。
【発明の詳細な説明】
【技術分野】
【０００１】
本発明は、シリコンウェハをダイシングによって個片化したダイ等の部品をピックアップする部品ピックアップ装置に関するものである。
【背景技術】
【０００２】
ダイボンディング装置は、薄片化されたシリコンウェハをダイシングによって個片化したダイ（部品）を供給する部品供給ステージと、部品供給ステージからピックアップヘッドによってピックアップされたダイを実装ヘッドに受け渡すために仮置きする部品中継ステージと、実装ヘッドによってダイを基板にボンディングする部品実装ステージの３つの作業ステージを備えている。ピックアップヘッドはピックアップしたダイのフェイス（回路形成面）の向きを変換するために吸着ノズルの向きを上下に反転可能に備えている。またダイの角度補正を行うために吸着ノズルは中心軸周りに回転可能である（特許文献１参照）。
【特許文献１】特開２００６−９３３２１号公報
【発明の開示】
【発明が解決しようとする課題】
【０００３】
従来のピックアップヘッドは、吸着ノズルを中心軸周りに回転させるための機構とその駆動源が吸着ノズルとともに反転する反転部分に配置されていたので、反転部分が大型化、重量化し、動特性の悪化とデッドスペースの増大を招いていた。また反転部分にある駆動源への電源供給配線が複雑になっていた。
【０００４】
そこで本発明はピックアップヘッドの複雑な配線を排除するとともに反転部分の小型軽量化を実現した部品ピックアップ装置を提供することを目的とする。
【課題を解決するための手段】
【０００５】
請求項１に記載の部品ピックアップ装置は、軸周りに回転自在な回転アームと、この回転アームの中心部にその軸方向である第２方向に移動自在に挿通されたシャフトと、このシャフトを前記第２方向に移動させる第２モータと、前記回転アームの前記軸から離れた位置に装着されたピックアップヘッドと、このピックアップヘッドに装着されて部品をピックアップするピックアップツールと、前記回転アームを前記軸を中心に回転させることにより前記ピックアップヘッドを上下に反転させて前記ピックアップツールを上向きもしくは下向きに変更するピックアップヘッド反転手段と、前記第２モータの駆動による前記シャフトの前記移動に伴って前記ピックアップツールをその回転軸周りに回転させるピックアップツール回転手段とを有する。
【０００６】
請求項２に記載の部品ピックアップ装置は請求項１に記載の部品ピックアップ装置であって、前記ピックアップツール回転手段は、前記ピックアップツールに装着されて側方に突出し、その先端部が前記シャフトの先端部に設けられたピンと係合し、前記第２モータの駆動による前記シャフトの前記移動に伴って前記ピックアップツールをその回転軸周りに回転させる回転レバーから成る。
【発明の効果】
【０００９】
本発明によれば、軸周りに回転自在な回転アームと、この回転アームの中心部にその軸方向である第２方向に移動自在に挿通されたシャフトと、このシャフトを第２方向に移動させる第２モータと、回転アームの軸から離れた位置に装着されたピックアップヘッドと、このピックアップヘッドに装着されて部品をピックアップするピックアップツールと、回転アームを軸を中心に回転させることによりピックアップヘッドを上下に反転させてピックアップツールを上向きもしくは下向きに変更するピックアップヘッド反転手段と、第２モータの駆動によるシャフトの移動に伴ってピックアップツールをその回転軸周りに回転させるピックアップツール回転手段とを有することで、ピックアップヘッドへの電源供給のための複雑な配線を排除するとともにピックアップヘッドの小型軽量化による動特性およびスペース効率が向上する。
【発明を実施するための最良の形態】
【００１０】
本発明の実施の形態について図面を参照して説明する。図１は本発明の実施の形態の部品実装装置の斜視図、図２は本発明の実施の形態の部品実装装置の概略構成図、図３は本発明の実施の形態の部品ピックアップ装置の駆動機構の概略構成図、図４は本発明の実施の形態の部品ピックアップ装置の一部の内部構造を示す断面図である。
【００１１】
最初に図１と図２を参照して部品実装装置の全体構成およびその動作について説明する。部品実装装置１は、ウェハシートホルダ２と、ウェハシートホルダ２に保持されたウェハシート３からチップ４を取り出すピックアップヘッド５と、ピックアップヘッド５がウェハシート３から取り出したチップ４を仮置きするチップ中継テーブル６と、ウェハシート３から取り出したチップ４をピックアップヘッド５もしくはチップ中継テーブル６から受け取る実装ヘッド７と、基板８を支持する基板支持テーブル９と、基板８にチップ４を接着するためのペースト接着剤を塗布するディスペンサ１０と、ウェハシート３に貼着されたチップ４の位置や向きを確認するための第１カメラ１１と、チップ中継テーブル６に仮置きされたチップ４の位置や向きを確認するための第２カメラ１２と、基板８に設定されたペースト接着剤の塗布位置を確認するための第３カメラ１３と、実装ヘッド７が受け取ったチップ４の位置や向きを確認するための第４カメラ１４を備えている。第１カメラ１１、第２カメラ１２、第３カメラ１３はそれぞれ撮像対象の鉛直上方に配置されており、鉛直下方を撮像領域としている。これに対し第４カメラ１４は撮像対象の鉛直下方に配置されており、鉛直上方を撮像領域としている。
【００１２】
実装ヘッド７は第１直動装置２０と第２直動装置２１によって鉛直方向および水平方向（第１方向）に移動自在になっている。ディスペンサ１０は第３直動装置２２と第２直動装置２１によって実装ヘッド７と同様に鉛直方向および水平方向（第１方向）に移動自在になっている。ピックアップヘッド５は第１方向と水平面内で直交する第２方向に延びる回転アーム２３の先端に装着されている。回転アーム２３は中心軸周りに回転自在であり、この回転によりピックアップヘッド５は上下反転し、ノズル２４の向きを上向きもしくは下向きに変更することができるようになっている。ピックアップヘッド５は回転アーム２３とともに第４直動装置２５に装着されており、鉛直方向および水平方向（第１方向および第２方向）に移動自在になっている。
【００１３】
ウェハシートホルダ２は第５直動装置２６によって所定の高さで水平方向（第１方向および第２方向）に移動自在になっている。ウェハシートホルダ２の下方にはチップ４の突き上げ装置２７が備えられている。突き上げ装置２７は第１カメラ１１と鉛直方向に上下の位置関係となるように配置されている。突き上げ装置２７に対してウェハシートホルダ２が水平移動することで、ウェハシートに貼着された複数のチップのうち任意のチップ４
を突き上げ装置２７の鉛直上方に位置決めする。突き上げ装置２７によって上方に突き上げられたチップ４はピックアップヘッド５のノズル２４で吸着され、ウェハシート３から剥離される。
【００１４】
チップ中継テーブル６は第６直動装置２８によって、基板支持テーブル９は第７直動装置２９によって所定の高さで第２方向に移動自在になっている。ディスペンサ１０と実装ヘッド７に下向きに装着されたノズル３０に吸着されたチップ４が第１方向に移動し、基板８が第２方向に移動することで、基板８の任意の位置にペースト接着剤を塗布し、その位置にチップ４を実装する。チップ４をフェイスアップで実装する場合には、ピックアップヘッド５でピックアップしたチップ４を反転しないで一旦チップ中継テーブル６に仮置きし、このチップ４を実装ヘッド７でピックアップして基板８に実装する。これに対しフェイスダウンで実装する場合には、ピックアップヘッド５が上下反転し、ウェハシート３からフェイスアップ姿勢でピックアップしたチップ４を反転させてフェイスダウン姿勢に変換した後に実装ヘッド７に直接受け渡す。
【００１５】
次に図３と図４を参照して部品ピックアップ装置について説明する。回転アーム２３は第２方向に突出した状態で移動アーム４０に装着されている。移動アーム４０は第４直動装置２５に付属し、第４直動装置２５の駆動により鉛直方向および水平方向に移動する。
【００１６】
回転アーム２３は軸４１を中心とする円筒形であり、先端部にピックアップヘッド５が装着され、後端部にベアリング４２を配した軸受け部４３が装着されている。回転アーム２３を第４直動装置２５に装着するときには軸受け部４３を移動アーム４０に形成された孔４４に挿入する。移動アーム４０の表側（回転アーム２３の先端側）には回転アーム２３の回転駆動源となる第１モータ４５が装着されている。第１モータ４５の回転軸にはプーリ４６が装着され、このプーリ４６と相対するプーリ４７が回転アーム２３の外周に装着されている。それぞれのプーリ４６、４７には無端ベルト４８が掛けられ、第１モータ４５の回転駆動力が回転アーム２３を軸４１周りに回転（矢印ａ）させる力として伝達されるようになっている。第１モータ４５の駆動によって回転アーム２３が軸４１回りに１８０度回転すると、回転アーム２３の先端部に装着されたピックアップヘッド５が上下反転し、ノズル２４の向きを上向きもしくは下向きに変更する。
【００１７】
回転アーム２３の中心部には第２方向に延伸されたシャフト４９がその軸方向である第２方向に移動自在に挿通されている。圧縮ばね５０は一端をシャフト４９に形成されたばね止め５１に接し、他端を回転アーム２３に形成されたばね止め５２に接した状態でシャフト４９の外周に装着されている。シャフト４９の両端部はそれぞれ回転アーム２３の両端部から突出し、シャフト４９の後端部にはカムフォロワ５３が装着されている。このカムフォロワ５３と係合する偏心カム５４は移動アーム４０の裏側（回転アーム２３の後端側）に装着された第２モータ５５の回転軸５６に装着されている。カムフォロワ５３は圧縮ばね５０の弾性力によって付勢された状態で偏心カム５４に接触している。第２モータ５５を駆動させると偏心カム５４の回転にカムフォロワ５３が従動し、これに繋がるシャフト４９が第２方向に移動する（矢印ｂ）。
【００１８】
ピックアップヘッド５に装着されているノズル２４はシャフト４９の軸４１と直角の関係にある軸５７を中心に回転自在（矢印ｃ）である。ピックアップヘッド５は回転アーム２３の軸４１から離れた位置に装着され、ノズル２４の軸５７が軸４１と交わらないようになっている。ノズル２４には側方に突出する回転レバー５８が装着されている。回転レバー５８の先端部はシャフト４９の先端部に設けられたピン６０と係合し、第２モータ５５の駆動によるシャフト４９の移動に伴って軸５７回りに回動するようになっている。回転レバー５８の回動によりノズル２４は軸５７回りに回転する。ノズル２４の回転駆動源となる第２モータ５５はピックアップヘッド５ではなく移動アーム４０に配置されている
ので、ピックアップヘッド５は小型軽量化されたものになっている。また電源供給のための配線もない。
【００１９】
またピックアップヘッド５の反転に係る機構とノズル２４の回転に係る機構は独立し、互いに干渉することがないので、ピックアップヘッド５の反転中にノズル２４を回転させることが可能であり、これらの２つの動作を同時に実行することで生産性を向上することができる。
【００２０】
シャフト４９の内部には通気路５９が形成されている。この通気路５９はシャフト４９の先端部に形成された開口６１と連通し、図示しない管でノズル２４と接続されている。この通気路５９はシャフト４９の後端側で図示しない切換弁を介して図示しない真空発生源および圧縮気体発生源と接続され、チップ４を吸着するときにノズル２４を真空状態に移行させるとともに、真空状態にあるノズル２４内部の気圧を上昇させて吸着しているチップ４の真空破壊を行うことで吸着を解除することができる。
【００２１】
本発明の実施の形態の部品実装装置１において、ノズル２４は真空吸着によってチップ４（部品）をピックアップするピックアップツールの一形態である。ピックアップツールとしては、チップ４を一定時間保持し、ピックアップとリリースの切り換えが可能であれば機械的手段や電磁気的手段等によってチップ４をピックアップするものであってもよい。
【００２２】
移動アーム４０はピックアップヘッドを支持するピックアップヘッド支持手段の一形態である。ピックアップヘッド支持手段は、ピックアップヘッド５を反転可能に支持できるものであれば移動アーム４０のように移動せずに位置が固定されたものであってもよい。
【００２３】
第１モータ４５はピックアップヘッドをピックアップヘッド支持手段に対して上下に反転させるピックアップヘッド反転手段の一形態であり、第２モータ５５はピックアップツールをその回転軸周りに回転させるピックアップツール回転手段を構成する駆動力発生手段の一形態である。
【００２４】
シャフト４９および回転レバー５８は駆動力発生手段の駆動力をピックアップツールの回転力として伝達する駆動力伝達手段の一形態であり、回転レバー５８はシャフト４９の他方の端部（先端部）と係合する被係合部の一形態である。
【産業上の利用可能性】
【００２５】
本発明は複数のヘッド間で受け渡した部品を基板に実装する部品実装装置において有用である。
【図面の簡単な説明】
【００２６】
【図１】本発明の実施の形態の部品実装装置の斜視図
【図２】本発明の実施の形態の部品実装装置の概略構成図
【図３】本発明の実施の形態の部品ピックアップ装置の駆動機構の概略構成図
【図４】本発明の実施の形態の部品ピックアップ装置の一部の内部構造を示す断面図
【符号の説明】
【００２７】
１  部品実装装置
４  チップ
５  ピックアップヘッド
７  実装ヘッド
８  基板
２３  回転アーム
２４  ノズル
４０  移動アーム
４５  第１モータ
４９  シャフト
５３  カムフォロワ
５４  偏心カム
５５  第２モータ
５８  回転レバー
【図１】
0004752888.tif 000002
【図２】
0004752888.tif 000003
【図３】
0004752888.tif 000004
【図４】
0004752888.tif 000005